(57)【要約】【課題】発光素子と、該発光素子からの光により励起されて励起光を発する蛍光体とを組み合わせた光源を備える照明装置にあって、発光素子の影響または励起光の影響による色むらを低減する。【解決手段】発光素子と、該発光素子からの光により励起されて励起光を発する蛍光体とを有するＬＥＤ３を備える照明装置であって、前記ＬＥＤ３から照射される光のうち、前記発光素子からの光と前記励起光により視認される色度と異なる色度の光が照射される領域に、前記異なる色度の光を遮蔽する遮蔽部（例えばＬＥＤ３の実装部（底面２１）と立設部２２）を備えることを特徴とする。これにより、前記異なる色度の光が照明されることによる色むらを低減することが可能となる。【選択図】図５
2011222455.tif 000002
【特許請求の範囲】
【請求項１】
発光素子と、該発光素子からの光により励起されて励起光を発する蛍光体とを有する光源を備える照明装置であって、
前記光源から照射される光のうち、前記発光素子からの光と前記励起光により視認される色度と異なる色度の光が照射される領域に、前記異なる色度の光を遮蔽する遮蔽部を備えることを特徴とする照明装置。
【請求項２】
発光素子と、該発光素子からの光により励起されて励起光を発する蛍光体とを有する光源を備える照明装置であって、
前記光源により照明される照明領域において、前記発光素子からの光と前記励起光により視認される色度と異なる色度の光が照明される照明領域が形成されるのを低減させるべく、前記異なる色度の光を遮蔽する遮蔽部を備えることを特徴とする照明装置。
【請求項３】
発光素子と、該発光素子からの光により励起されて励起光を発する蛍光体とを有する光源を備える照明装置であって、
前記光源により照明される照明領域において、前記発光素子からの光と前記励起光により視認される色度と異なる色度の光が照明されることによる色むらを低減させるべく、前記異なる色度の光を遮蔽する遮蔽部を備えることを特徴とする照明装置。
【請求項４】
前記光源を内部に装着する枠体を備え、
前記遮蔽部は前記枠体の一部であることを特徴とする請求項１から３の何れか１項に記載の照明装置。
【請求項５】
前記枠体は、前記光源を実装する実装部と、該実装部に対して立設する立設部とを有し、
前記光源は、前記実装部または前記立設部で前記異なる色度の光を遮蔽すべく、前記実装部または前記立設部に対して傾斜させて取り付けられることを特徴とする請求項４に記載の照明装置。
【請求項６】
前記光源の光が照射される側に、前記光源の光を拡散する拡散部を有し、
前記枠体は、前記光源を前記拡散部から遠ざけるべく、前記実装部及び／または前記立設部に凹部を形成してあることを特徴とする請求項５に記載の照明装置。
【発明の詳細な説明】
【技術分野】
【０００１】
本発明は、発光素子と、該発光素子からの光により励起されて励起光を発する蛍光体とを有する光源を備える照明装置に関する。
【背景技術】
【０００２】
近年、発光素子である発光ダイオード（以下、ＬＥＤと記す）を光源とした照明装置が広く使用されている（例えば特許文献１）。特許文献１に記載の照明装置は、複数のＬＥＤを実装したＬＥＤ基板を筐体の底面に装着し、該底面に平行に対向させて拡散板を設けてある。従って、前記ＬＥＤから照射された光は、前記拡散板に対して垂直に直接照射され、前記拡散板にて拡散されて照明装置が設置された室内等の空間が照明される。
【０００３】
また、ＬＥＤとして、青色ＬＥＤ素子を該青色ＬＥＤ素子の光により励起されて（波長変換されて）黄色光を発光する黄色蛍光体を含有する樹脂で封止した所謂表面実装型の擬似白色ＬＥＤや、前記樹脂にさらに青色ＬＥＤ素子の光に励起されて赤色光を発光する赤色蛍光体を含有させた電球色ＬＥＤが一般的に知られている。
【先行技術文献】
【特許文献】
【０００４】
【特許文献１】特開２００９−２０６０６２号公報
【発明の概要】
【発明が解決しようとする課題】
【０００５】
ところが、特許文献１に記載の照明装置の光源に、前記擬似白色ＬＥＤのような、ＬＥＤ素子と該ＬＥＤ素子からの光により励起されて励起光を発する蛍光体とを有するＬＥＤを用いた場合には、以下のような問題があった。
【０００６】
ＬＥＤ素子と蛍光体とを有するＬＥＤは、照明領域において、前記擬似白色ＬＥＤによる白色光のような所望の色度の光を視認できる領域と、前記所望の色度の光とは異なる色度の光が視認される領域とが形成される。前記異なる色度の光が視認される領域に照射される光は、前記励起光またはＬＥＤ素子からの光の何れかの色みが強い光である。励起光の色みが強い光は、ＬＥＤ素子からの光量が低い照射方向やＬＥＤ素子からの光が前記蛍光体を含有する樹脂を透過する経路が長くなる照射方向において、蛍光体によって発光素子からの光が波長変換される割合が大きくなるために出現する。また、ＬＥＤ素子からの光の色みが強い光は、ＬＥＤ素子からの光量が高い照射方向やＬＥＤ素子からの光が蛍光体を含有する樹脂を透過する経路が短くなる照射方向において、蛍光体によってＬＥＤ素子からの光が波長変換される割合が小さくなるために出現する。
【０００７】
このため、ＬＥＤ素子と蛍光体からなるＬＥＤを光源として用いた照明装置では、照明領域において、所望の色度の光が視認される領域と前記所望の色度と異なる色度の光が視認される領域とが混在して形成されることになり、色むらが生じるという問題があった。より具体的に説明すると、例えば光源として前記擬似白色ＬＥＤを用いた場合には、所望の白色光とは異なる黄色み（青み）がかった白色光によって照明装置の拡散板の一部が黄色み（青み）を帯びる、また、家庭などの天井面に前記擬似白色ＬＥＤを光源とした照明装置を取り付けた場合には、該照明装置の周囲の天井面に前記黄色み（青み）がかった白色光が照明されて、天井面が黄色く（青く）映る等の現象が起こり、前記所望の白色光が視認される領域と混在して色むらが生じる。
【０００８】
本発明は斯かる事情に鑑みてなされたものであり、色むらを低減できる照明装置を提供することを目的とする。
【課題を解決するための手段】
【０００９】
本発明に係る照明装置は、発光素子と、該発光素子からの光により励起されて励起光を発する蛍光体とを有する光源を備える照明装置であって、前記光源から照射される光のうち、前記発光素子からの光と前記励起光により視認される色度と異なる色度の光が照射される領域に、前記異なる色度の光を遮蔽する遮蔽部を備えることを特徴とする。
【００１０】
本発明の照明装置によれば、発光素子からの光と励起光により視認される色度とは異なる色度を有する光が遮蔽部によって遮蔽されるため、前記異なる色度の光による色むらは低減する。
【００１１】
本発明に係る照明装置は、発光素子と、該発光素子からの光により励起されて励起光を発する蛍光体とを有する光源を備える照明装置であって、前記光源により照明される照明領域において、前記発光素子からの光と前記励起光により視認される色度と異なる色度の光が照明される照明領域が形成されるのを低減させるべく、前記異なる色度の光を遮蔽する遮蔽部を備えることを特徴とする。
【００１２】
本発明の照明装置によれば、発光素子からの光と励起光により視認される色度と異なる色度の光が遮蔽部によって遮蔽されるため、前記異なる色度の光が照明される照明領域が形成されるのを低減することができ、色むらは低減する。
【００１３】
本発明に係る照明装置は、発光素子と、該発光素子からの光により励起されて励起光を発する蛍光体とを有する光源を備える照明装置であって、前記光源により照明される照明領域において、前記発光素子からの光と前記励起光により視認される色度と異なる色度の光が照明されることによる色むらを低減させるべく、前記異なる色度の光を遮蔽する遮蔽部を備えることを特徴とする。
【００１４】
本発明の照明装置によれば、発光素子からの光と励起光により視認される色度と異なる色度の光が遮蔽部によって遮蔽されるため、前記異なる色度の光が照明されることによる色むらは低減する。
【００１５】
本発明に係る照明装置は、前記光源を内部に装着する枠体を備え、前記遮蔽部は前記枠体の一部であることを特徴とする。
【００１６】
本発明の照明装置によれば、枠体の一部にて遮蔽部を構成するため、容易に遮蔽部を設けることが可能である。
【００１７】
本発明に係る照明装置は、前記枠体は、前記光源を実装する実装部と、該実装部に対して立設する立設部とを有し、前記光源は、前記実装部または前記立設部で前記異なる色度の光を遮蔽すべく、前記実装部または前記立設部に対して傾斜させて取り付けられることを特徴とする。
【００１８】
本発明の照明装置によれば、光源を実装部または立設部に対して傾斜させて取り付けて、実装部または立設部にて前記異なる色度の光を遮蔽することで、該異なる色度の光による色むらを低減することが可能となる。
【００１９】
本発明に係る照明装置は、前記光源の光が照射される側に、前記光源の光を拡散する拡散部を有し、前記枠体は、前記光源を前記拡散部から遠ざけるべく、前記実装部及び／または前記立設部に凹部を形成してあることを特徴とする。
【００２０】
本発明の照明装置によれば、光源の光が照射される側に前記光源の光を拡散する拡散部を有し、該拡散部から前記光源を遠ざけるべく設けた凹部を前記実装部及び／または前記立設部に形成してあることで、前記凹部に前記光源を位置させて光源から拡散部までの距離を遠ざけることが可能となり、拡散部全域にわたって均一な面発光が得られる。
【発明の効果】
【００２１】
本発明によれば、色むらを低減することが可能となる。
【図面の簡単な説明】
【００２２】
【図１】本発明の照明装置の平面図である。
【図２】図１の照明装置のセンターカバーを外した状態の斜視図である。
【図３】図１の照明装置のセンターカバー及び拡散パネルを外した状態の斜視図である。
【図４】図１の照明装置の分解斜視図である。
【図５】図１の照明装置の幅方向のサイドカバーを通る断面図である。
【図６】本発明の照明装置におけるＬＥＤからの光の照明領域の色度を示す模式図である。
【図７】比較例の照明装置におけるＬＥＤからの光の照明領域の色度を示す模式図である。
【発明を実施するための形態】
【００２３】
以下、本発明をその実施の形態を示す図面を参照して具体的に説明する。図１〜図５は本発明の照明装置を示す図であり、図１は照明装置の平面図、図２は図１の照明装置のセンターカバーを外した状態の斜視図、図３は図１の照明装置のセンターカバー及び拡散パネルを外した状態の斜視図、図４は図１の照明装置の分解斜視図、図５は図１の照明装置の幅方向のサイドカバーを通る断面図である。
【００２４】
照明装置１は、図４に示すように、ＬＥＤ３を内部に装着する枠体としての長尺のベースフレーム２、青色ＬＥＤ素子を黄色蛍光体を含有する樹脂で封止した所謂表面実装型の擬似白色ＬＥＤであるＬＥＤ３を複数実装したＬＥＤ基板４，４、ＬＥＤ３からの光を反射する反射シート５，５、ＬＥＤ３に電力を供給する電源ユニット６、商用電源からの電源線を接続する接続端子７、ＬＥＤ３からの光を拡散させて外部へ放射する拡散部としての拡散パネル８，８、ベースフレーム２の長手方向に沿って設けられて電源ユニット６、接続端子７などを覆うセンターカバー９、ベースフレーム２の長手方向の両端部に取り付けられるサイドカバー１０，１０などを備えている。
【００２５】
ベースフレーム２は、図５に示すように、その幅方向中央を中心として対称な形状をなしており、ＬＥＤ３の実装部としての底面２１と底面２１に対して立設する立設部２２を有する。底面２１は、側縁部２３，２３側から中央部側にかけて、図５における照明装置１の設置面１ａに略平行な第１底面２ａ，２ａと、第１底面２ａ，２ａに連設されて照明装置１の設置面１ａ側に傾斜した第１傾斜部２ｂ，２ｂと、第１傾斜部２ｂ，２ｂに連設されて照明装置１の設置面１ａに平行な第２底面２ｃ，２ｃと、第２底面２ｃ，２ｃに連設されて照明装置１の設置面１ａと反対側に傾斜した第２傾斜部２ｄ，２ｄと、後述する立設部２２，２２に連設されて照明装置１の設置面１ａに平行な第３底面２ｅとを有している。立設部２２，２２は第２傾斜部２ｄ，２ｄに連設されてＬＥＤ３の実装部である底面２１に対して立設して設けられる。
【００２６】
そして、ベースフレーム２の第３底面２ｅには，ベースフレーム２を天井や壁などの設置場所に取り付けるための取付孔２４，２４が形成されている。取付孔２４，２４による取り付けは一例であって、これに限定されるのではなく、ベースフレーム２を所望の場所に取り付けることができる構造であれば、フックなどの部材を用いるようにしてもよい。また、第３底面２ｅには、適宜の場所に電源線などを配線するための配線孔２５，２５が形成されている。
【００２７】
ベースフレーム２の第２傾斜部２ｄには、長尺矩形状のＬＥＤ基板４が装着されている。また、ＬＥＤ基板４には、複数のＬＥＤ３が一列状に等間隔で実装されている。よって、ＬＥＤ基板４の法線方向とベースフレーム２のＬＥＤ３を実装する前記実装部である底面２１及び立設部２２の法線方向とは一致せず、ＬＥＤ基板４に実装された光源であるＬＥＤ３は、ＬＥＤ３の実装部である底面２１と、立設部２２に対して傾斜させて取り付けられる。なお、ＬＥＤ基板４に実装される複数のＬＥＤ３の配置の間隔は、各ＬＥＤ３からの光の輝度のばらつき等によって適宜変更してもよく、等間隔でなくてもよい。
【００２８】
各ＬＥＤ３は、発光素子としての青色ＬＥＤ素子と前記発光素子からの光により励起されて励起光を発する蛍光体としての黄色蛍光体とを有する擬似白色光源であり、例えば、青色ＬＥＤ素子と、該青色ＬＥＤ素子を封止し、黄色蛍光体が分散された封止樹脂と、入力端子及び出力端子とを備えてなる表面実装型ＬＥＤである。このような擬似白色光源では、青色ＬＥＤ素子からの光の一部が黄色蛍光体により励起されて（波長変換されて）黄色の励起光を照射し、該励起光と青色ＬＥＤ素子からの青色の光により所望の色度の白色光として視認される。
【００２９】
しかしながら、発光素子と該発光素子からの光により励起されて励起光を発する蛍光体とを有する光源であるＬＥＤにおいて、前記発光素子からの光量が低くなる照射方向や、前記発光素子からの光が前記蛍光体を含有する樹脂を透過する経路が長くなる照射方向では、前記発光素子からの光の前記蛍光体による波長変換の割合が大きくなり、前記発光素子からの光と前記励起光によって視認される色度と異なる色度の光が照射される。一般的な表面実装型ＬＥＤでは、発光素子からの光はＬＥＤの発光面に近い照射方向から照射される光の光量が低くなり、また、発光素子からの光が蛍光体を含有する樹脂を透過する経路は、発光面に近い照射方向で長くなるため、図６を用いて後で説明するように、図６のＬＥＤ３の発光面３１に近い照射方向から前記異なる色度の光（図６におけるハッチングを付した黄色発色領域の光）が照射される。
【００３０】
従って、本実施の形態では、図６でのＬＥＤ３の発光面３１に近い照射方向から照明される照明領域において、前記異なる色度の光である黄色みがかった白色光が照明されることによる色むらを低減させるべく、ＬＥＤ３（ＬＥＤ基板４）を前記異なる色度の光を遮蔽する遮蔽部としての底面２１と立設部２２に対して傾斜させて配置してある。これにより、前記黄色みがかった白色光は、後述するように前記遮蔽部である底面２１と立設部２２に沿って照射され、拡散パネル８に到達するまでに前記底面２１と立設部２２によって遮蔽されるため、前記黄色みがかった白色光が照明されることによって現れる色むらを低減することができる。
【００３１】
また、ベースフレーム２のＬＥＤ３の実装部（第２傾斜部２ｄ）へのＬＥＤ基板４の安定した配置が得られるように、凸部からなる位置決め用のストッパ２６が第２底面２ｃと第２傾斜部２ｄとの境界に設けられている（図５参照）。これにより、傾斜部２ｄに取り付けられたＬＥＤ基板４は、該ＬＥＤ基板４の下端４１がストッパ２６により滑り止めされるので、ＬＥＤ基板４の配置及び固定作業が容易になる。
【００３２】
反射シート５は、ＬＥＤ３からの光を効率良く拡散パネル８に放射させるために設けられている。この反射シート５の両縁と拡散パネル８の両縁とを一致させて取り付けることで、ＬＥＤ３からの光の照明装置１内部への漏れを抑制して、外部への発光効率を高めている。なお、ＬＥＤ基板４やベースフレーム２に、ＬＥＤ３からの光を十分に反射することが可能となるための塗装などの加工が施されている場合、反射シート５を設ける必要はない。
【００３３】
ベースフレーム２の２つの立設部２２，２２で挟まれる空間内に、電源ユニット６及び接続端子７が収容されてＬＥＤ基板４，４と並設される。つまり、電源ユニット６及び接続端子７を間に挟んで、ＬＥＤ基板４，４が２箇所に分かれてベースフレーム２の立設部２２，２２の外側に並置されている。なお、ＬＥＤ基板４の設置位置が電源ユニット６に近いため、ＬＥＤ３が電源ユニット６からの熱の影響を受けることを避けるべく、電源ユニット６と立設部２２，２２との間に、電源ユニット６からの熱がＬＥＤ３へ伝わりにくくするための断熱部材を設けることが好ましい。また、ＬＥＤ３からの放熱を良好にすべく、ＬＥＤ基板４，４と第２傾斜部２ｄとの間に放熱シートを設けることが好ましい。
【００３４】
ベースフレーム２における第１底面２ａの長手方向の両端部と、サイドカバー１０とは、ビス３１によって固定されている。このビス３１はＬＥＤ３または電源ユニット６からの熱を放熱する機能も果たす。図５に示すように、ＬＥＤ基板４を設置するベースフレーム２では、ビス３１を収容してビス３１が照明装置１の設置面１ａから外に出ないようにするための収容空間がベースフレーム２の底面２１と設置面１ａとの間に存在するため、ＬＥＤ３の底面２１を設置面１ａ側に窪ませて第１傾斜部２ｂ，第２底面２ｃ及び第２傾斜部２ｄを設けることができる。
【００３５】
よって、ＬＥＤ３を拡散パネル８から遠ざけるべくＬＥＤ３の実装部に形成された凹部である第１傾斜部２ｂ，第２底面２ｃ及び第２傾斜部２ｄのうち、第２傾斜部２ｄにＬＥＤ３を実装したＬＥＤ基板４を取り付けることで、ＬＥＤ３から拡散パネル８までの距離を延長することができる。つまり、前記凹部にＬＥＤ３を位置させることで、該ＬＥＤ３を拡散パネル８から遠ざけて設けることができるので、後述するように、ＬＥＤ３から照射される光が拡散パネル８で均一に拡散されて、面発光を得ることができる。
【００３６】
なお、本実施の形態のようなビス３１を収容する前記収容空間以外にも、照明装置を設置する天井や壁等の設置部に存在するバリ等の凹凸を被覆するための、照明装置の設置面と前記設置部との間に設けた被覆空間が設けられている場合には、該被覆空間を利用して前記凹部を形成してもよい。つまり、照明装置の前記設置面と、天井や壁等の前記照明装置の設置部との間に存在する空間を利用して前記凹部を形成することが可能である。また、照明装置の前記設置部側に照明装置の設置面が張り出すように前記凹部を形成して、天井や壁等の前記設置部に前記張り出した凹部が嵌合するような空間（穴や溝等）を設けて照明装置を設置するようにしてもよい。
【００３７】
センターカバー９は、図５に示すように、立設部２２，２２で挟まれる空間を覆うように設けられており、その幅方向の両縁部９１，９１が、拡散パネル８，８の照明装置１の中央側に設けられた係合部８１，８１に係合し、センターカバー９の長手方向の両端部９２，９２はサイドカバー１０，１０に固定される。センターカバー９の長手方向の一端部には、該一端部をサイドカバー１０にスライドして挿入することによりサイドカバー１０に固定可能な固定部材９ａを備える。
【００３８】
センターカバー９を外した状態で照明装置１を天井や壁等の設置部に設置し、設置後にセンターカバー９の幅方向の両縁部９１，９１を拡散パネル８の係合部８１，８１に係合し、センターカバー９の長手方向の両端部９２，９２をサイドカバー１０，１０に挿入して、固定部材９ａでサイドカバー１０に固定してセンターカバー９を照明装置１に取り付けることが可能である。なお、センターカバー９は、ＬＥＤ３からの光により投影される内部構成部材の影が拡散パネル８に映らないように、前記影がセンターカバー９で隠れる程度の幅を有することが好ましい。
【００３９】
ＬＥＤ３からの光が照射される側には、ＬＥＤ３からの光を拡散する拡散部としての拡散パネル８，８が配置されている。拡散パネル８，８は、図５のように照明装置１の幅方向の断面がドーム形状をなすべく、センターカバー９を間に挟んでベースフレーム２の両側２箇所に対称に取り付けられている。ＬＥＤ３からの光が拡散パネル８，８の全面にて拡散されるため、各ＬＥＤ３の照射光のばらつきを抑制して、拡散パネル８，８で均一な輝度の面発光を得ることができる。
【００４０】
この拡散パネル８，８は、ドーム形状をなしているが、ベースフレーム２の側縁部２３，２３側の縁部８２，８２のみ設置面１ａに対して垂直な平面状をなしている。このため、天井などに設置した場合に、拡散パネル８，８全体が完全に曲面のドーム形状をなす場合と異なり、縁部８２と拡散パネル８の曲面８３との境界の屈曲線が利用者に視認されるので、利用者は照明装置１が薄く見えるという効果がある。なお、拡散パネル８，８の曲面８３，８３の形状としては、拡散パネル８とＬＥＤ３との距離をできる限り長くできるように、ＬＥＤ３を中心として円弧状に近似したものにすることが好ましい。
【００４１】
２枚のＬＥＤ基板４，４及び拡散パネル８，８は、センターカバー９（電源ユニット６及び接続端子７）を間に挟んで、夫々照明装置１の両側に設けられている。２枚のＬＥＤ基板４，４は、ＬＥＤ基板４，４に実装されたＬＥＤ３の光の照射方向が互いに逆向きに外側を向くべく底面２１に対して傾斜するように第２傾斜部２ｄ，２ｄに取り付けられている。これにより、照明装置１を天井面に設置した場合に、照明装置１の幅方向の両側から斜め外側に向けて光が照射されるので、底面２１に平行に対向させて取り付けられた光源から垂直に光が照射される照明装置に比べて照明領域の配光を広くすることができる。
【００４２】
ベースフレーム２の立設部２２，２２の間には、適長離隔させて取っ手３２，３２が立設部２２，２２に垂直をなして、かつ立設部２２，２２を連結するように設けられている。取り付け作業を行う作業者は取っ手３２，３２を持ってベースフレーム２を天井や壁などの設置場所に取り付けるだけで照明装置１を容易に取り付けることができる。よって、作業性は良好である。また、この取っ手３２，３２により、ベースフレーム２の幅方向の曲げ剛性が高まるので、照明装置１の曲がりを抑制することができる。
【００４３】
以下、ＬＥＤ３を実装する実装部である底面２１と底面２１に対して立設する立設部２２に対して、ＬＥＤ３を傾斜させて取り付けることによる作用・効果についてより詳細に説明する。
【００４４】
図６は本実施の形態の照明装置におけるＬＥＤ３の照明領域の色度を示す模式図であり、図７は比較例におけるＬＥＤ３の照明領域の色度を示す模式図である。図７に示す比較例では、ベースフレーム２の底面２ｇの法線方向とＬＥＤ基板４の法線方向とが一致しており、底面２ｇに平行に対向させてＬＥＤ基板４が配置されている。
【００４５】
図７に示す比較例では、図７のハッチングを付した領域のように、ＬＥＤ３から拡散パネル８のベースフレーム２側の一部に、前記青色ＬＥＤ素子からの光と前記黄色蛍光体からの励起光により視認される色度の白色と異なる黄色みがかった白色光が照明される照明領域である黄色発色領域の光が照射される。上記のように本実施の形態では、図６に示すように、ＬＥＤ３の発光面３１に近い照射方向から、前記異なる色度の光である前記黄色みがかった白色光、つまり黄色発色領域の光が照射される一般的な表面実装型のＬＥＤ３を使用しているため、本比較例においても同一のＬＥＤ３を用いている。
【００４６】
従って、図７のハッチングを付した領域のように、ＬＥＤ３の発光面３１に近い照射方向から前記黄色発色領域の光が照射される。本比較例では、ＬＥＤ基板４を照明装置１の底面２ｇに平行に対向させて設けているため、ＬＥＤ３の底面２ｇに平行して発光面３１が形成され、ＬＥＤ３の発光面３１に近い照射方向から拡散パネル８側に照射される前記黄色発色領域の光は、ＬＥＤ３と拡散パネル８との間で遮蔽されることなくそのまま拡散パネル８に照射される。
【００４７】
この結果、照明装置１を拡散パネル８の縁部８２側から見た場合や、ＬＥＤ３の発光面３１に近い照射方向からの光が照明される照明領域において、前記黄色発色領域の光が利用者に視認される。つまり、前記異なる色度の光が照明されることによる色むらが生じる。
【００４８】
これに対して、図６に示すように、本実施の形態の照明装置では、ＬＥＤ基板４を底面２１と立設部２２が交わる箇所に設けられた第２傾斜部２ｄに取り付けることで、ＬＥＤ３を底面２１及び立設部２２に対して傾斜させて配置させることができる。これによりＬＥＤ３の発光面３１は、底面２１及び立設部２２に対して傾斜し、底面２１及び立設部２２と交わる。
【００４９】
このようにＬＥＤ３を取り付けることで、ＬＥＤ３の発光面３１に近い照射方向、換言するとＬＥＤ３の実装面（図６のＬＥＤ基板４に取り付けられる面）に近い方向から照射される前記黄色発色領域の光（図６のハッチングを付した領域）は、第２傾斜部２ｄから底面２１及び立設部２２に沿って照射される。上記のように構成することで、前記黄色発色領域の光、つまり前記異なる色度の光が照射される領域（図６のハッチングを付した領域）に、前記異なる色度の光を遮蔽する遮蔽部である底面２１及び立設部２２を備えることが可能となる。
【００５０】
このため、ＬＥＤ３の発光面３１に近い照射方向、つまりＬＥＤ３の周囲から、底面２１及び立設部２２に照射された前記黄色発色領域の光は、底面２１及び立設部２２に遮蔽されるため拡散パネル８まで到達しないので、拡散パネル８に映る前記黄色発色領域の光による黄色みを低減することが可能となる。つまり、ＬＥＤ３から照明される照明領域において、前記遮蔽部である底面２１と立設部２２によって前記異なる色度の光が照明される照明領域が形成されるのを低減させることが可能となる。従って、前記青色ＬＥＤ素子からの光と前記黄色蛍光体からの励起光による所望の白色光が視認される領域と、前記所望の白色光と異なる前記黄色発色領域の白色光が視認される領域とが混在することによる色むらを低減することができる。
【００５１】
また、本実施の形態では、底面２１及び立設部２２を前記異なる色度の光を遮蔽する遮蔽部として形成したが、上記の図７の比較例のように、ＬＥＤ３を実装部である底面２１及び立設部２２に傾斜させず、底面２１に平行に取り付けて、立設部２２のみで前記異なる色度の光を遮蔽するように構成してもよい。さらに、ＬＥＤ３の発光面３１と底面２１または立設部２２の何れか一方のみが交差するように、ＬＥＤ３を底面２１と立設部２２に対して傾斜するように取り付けてもよい。つまり、底面２１または立設部２２の先端にＬＥＤ基板４を位置させて、ＬＥＤ３を底面２１と立設部２２に対して傾斜するように取り付けるように構成してもよい。これにより底面２１または立設部２２の何れか一方で前記異なる色度の光を遮蔽することができる。
【００５２】
さらに、本実施の形態のように、前記遮蔽部を、光源を内部に装着する枠体としてのベースフレーム２の一部で構成する以外にも、前記枠体以外を遮蔽部として設けてもよい。具体的には、前記光源の光を拡散する拡散部における前記異なる色度の光が照射される領域に、前記異なる色度の光を遮蔽する幕や塗装等を備えるようにしてもよいし、前記枠体の内側または外側における前記異なる色度の光が照射される領域に、衝立や壁等の遮蔽部を設けて前記異なる色度の光が照明される照明領域が形成されることを低減するようにしてもよい。
【００５３】
但し、本実施の形態のようにＬＥＤ３を底面２１と立設部２２に傾斜して取り付けることで、照明装置の枠体であるベースフレーム２の一部である底面２１及び立設部２２を前記遮蔽部として利用できるので、容易に前記遮蔽部を備えることが可能となり、また新たに遮蔽部を設ける必要がなく、部品点数の削減にも寄与する。
【００５４】
また、上記のように、本実施の形態では、ＬＥＤ３の実装部である底面２１及び立設部２２に対して光源であるＬＥＤ３を傾斜させて取り付けたが、底面２１に対して平行にＬＥＤ３を取り付けるように構成してもよい。その場合、前記拡散部に設ける幕や塗装、枠体の内側または外側に設ける衝立や壁、または前記枠体の周壁等の遮蔽部を、ＬＥＤ３の周囲等のＬＥＤ３の発光面３１に近い光が照明される領域、換言すると前記異なる色度の光が照明される領域に備えることで前記異なる色度の光を遮蔽することが可能となる。
【００５５】
但し、ＬＥＤ３を底面２１に対して傾斜させて設置する場合には、上記のように照明装置１の幅方向の両側から斜め外側に向けて光を照射することができるので、上記図７の比較例のようにＬＥＤ３を底面２ｇに平行に対向させて設置する場合に比べて、配光領域が広がる点で有利である。
【００５６】
ところで、拡散パネル８の表面全体が均一に発光する面発光を実現するためには、ＬＥＤ３から拡散パネル８までの距離をｄ、ＬＥＤ基板４におけるＬＥＤ３のピッチ（隣り合うＬＥＤ３の配置間隔）をｐとした場合に、ｄ≧ｐの条件を満たす必要がある。よって、この条件を満たすためには、ＬＥＤ３から拡散パネル８までの距離を長くすることが好ましい。本実施の形態では、ベースフレーム２のＬＥＤ３の実装部に、拡散パネル８からＬＥＤ３を遠ざけるべく設けた凹部である第１傾斜部２ｂ，第２底面２ｃ及び第２傾斜部２ｄのうち第２傾斜部２ｄにＬＥＤ基板４を設けることで、図７の比較例の如く凹部を設けていない底面２ｇにＬＥＤ基板４を設けることに比較して、ＬＥＤ３から拡散パネル８までの距離を長く確保できる。従って拡散パネル８における均一な面発光を実現するための条件である上記ｄ≧ｐを満たすことに寄与する。
【００５７】
さらに、本実施の形態では、ＬＥＤ３を拡散パネル８から遠ざけるべく、底面２１に前記凹部を設ける構成としたが、それに加えて前記底面２１に対して立設する立設部２２に前記凹部を設ける構成としても良い。例えば具体的には、図５の立設部２２の底面２１側の一部を電源ユニット６側に窪ませた凹部を形成すべく段差を設けて、前記凹部の電源ユニット６側の面に第２傾斜部２ｄが連設されることで、該第２傾斜部２ｄにＬＥＤ３が実装されたＬＥＤ基板４を取り付けることができる。これにより、本実施の形態のように底面２１にのみ凹部を形成するよりさらにＬＥＤ３を拡散パネル８から遠ざけて取り付けることが可能となる。また、前記立設部にのみ前記凹部を設けるように構成にしても良いことは勿論である。
【００５８】
近年、高出力・大容量のＬＥＤ３を使用することにより、低出力のＬＥＤを用いる場合と同一の輝度を達成する際に、設置するＬＥＤ３の数量を低出力のＬＥＤを用いる場合よりも低減してコスト低下を図る傾向がある。高出力のＬＥＤ３を用いる場合、使用するＬＥＤ３の数量が減るので、ＬＥＤ基板４に実装されるＬＥＤ３のピッチが大きくなり、拡散パネル８での面発光のためには、上記ｄ≧ｐの条件からＬＥＤ３から拡散パネル８までの距離を長くしなければならない。本発明では、上記のように前記距離を長く取れる構成であるため、高出力のＬＥＤ３を用いた場合でも面発光を実現でき、このようなコスト低下に寄与できる。
【００５９】
さらにまた、本実施の形態のように前記凹部にＬＥＤ３を取り付けることで、底面２１及び立設部２２の先端からＬＥＤ３の発光面３１を遠ざけることが可能となる。さらに、上記ＬＥＤ３のような発光面３１に近い照射方向から前記異なる色度の光が照射されるＬＥＤを用いた場合に、前記異なる色度の光が照明される照明領域を、前記凹部による段差を利用して遮蔽できる。これにより、前記異なる色度の光が照明される照明領域が、底面２１及び立設部２２の先端まで届きにくくなる。
【００６０】
つまり、底面２１または立設部２２に前記凹部を形成して、該凹部にＬＥＤ３を取り付けることで、底面２１の幅方向の寸法または立設部２２の底面２１の法線方向の寸法をより短くしても、前記異なる色度の光を遮蔽することが可能となる。さらに、凹部を形成していない底面２１にＬＥＤ３を傾斜させて実装することに比べて、より広い照明領域の前記異なる色度の光を底面２１または立設部２２で遮蔽することができる。
【００６１】
なお、上記の実施の形態では、前記所望の色度の光とは異なる色度の光として黄色蛍光体からの励起光の色みが強い黄色みがかった白色光を遮蔽する場合について説明したが、前記異なる色度の光として青色ＬＥＤ素子からの光の色みが強い青みがかった白色光を遮蔽するようにして、発光素子の影響による色むらを低減することも可能である。
【００６２】
また、上記の実施の形態では、青色ＬＥＤ素子を黄色蛍光体を含有する樹脂で封止した所謂表面実装型の擬似白色ＬＥＤを光源として用いる場合について説明したが、これに限定されるものではなく、青色ＬＥＤ素子と黄色及び赤色蛍光体とを組み合わせた電球色ＬＥＤ等の他の種類のＬＥＤを光源として用いても良い。つまり、所望の色度の光を得るために発光素子と蛍光体とを備える光源を備えるすべての照明装置に本発明を適用できることは勿論である。
【００６３】
さらにまた、上記の実施の形態では、一般的な表面実装型のＬＥＤの発光面に近い照射方向から前記異なる色度の光が照射される例について説明したが、発光面に近い照射方向から前記異なる色度の光が照射されるＬＥＤ以外にも、例えばＬＥＤの発光面の法線方向から前記異なる色度の光が照射されるＬＥＤを用い、前記ＬＥＤの発光面の法線方向から照射される前記異なる色度の光を遮蔽する遮蔽部を備えるように構成しても良い。つまり、前記異なる色度の光が照射される方向に拘らず本発明を適用することができる。また、表面実装型のＬＥＤ以外にも、所謂砲弾型ＬＥＤ等のＬＥＤを用いても良いことは勿論である。
【００６４】
なお、上記の実施の形態ではストレート型の照明装置について説明したが、照明装置の形状は、ストレート型に限定されるものではなく、所謂スクウェア型または円形状のものであっても良い。
【符号の説明】
【００６５】
１  照明装置
２  ベースフレーム（枠体）
２１  底面（実装部，遮蔽部）
２２  立設部（遮蔽部）
２ａ  第１底面
２ｂ  第１傾斜部（凹部）
２ｃ  第２底面（凹部）
２ｄ  第２傾斜部（凹部）
２ｅ  第３底面
３  ＬＥＤ（発光ダイオード：光源）
４  ＬＥＤ基板
８  拡散パネル（拡散部）
【図１】
2011222455.tif 000003
【図２】
2011222455.tif 000004
【図３】
2011222455.tif 000005
【図４】
2011222455.tif 000006
【図５】
2011222455.tif 000007
【図６】
2011222455.tif 000008
【図７】
2011222455.tif 000009
【手続補正書】
【提出日】平成23年8月23日(2011.8.23)
【手続補正１】
【補正対象書類名】明細書
【補正対象項目名】０００９
【補正方法】変更
【補正の内容】
【０００９】
本発明に係る照明装置は、発光素子と、該発光素子からの光により励起されて励起光を発する蛍光体とを有する光源と、前記光源を実装する実装部と該実装部に対して立設する立設部とを一部に有し、前記光源を内部に装着する枠体とを備える照明装置であって、前記光源は、前記実装部または前記立設部に対して傾斜させて取り付けられ、前記光源から照射される光のうち、前記発光素子からの光と前記励起光により視認される色度と異なる色度の光が照射される領域に、前記異なる色度の光を遮蔽する、前記実装部または前記立設部から構成された遮蔽部を備えることを特徴とする。
【手続補正２】
【補正対象書類名】明細書
【補正対象項目名】００１０
【補正方法】変更
【補正の内容】
【００１０】
本発明の照明装置によれば、発光素子からの光と励起光により視認される色度とは異なる色度を有する光が遮蔽部によって遮蔽されるため、前記異なる色度の光による色むらは低減する。枠体の一部にて遮蔽部を構成するため、容易に遮蔽部を設けることが可能である。光源を実装部または立設部に対して傾斜させて取り付けて、実装部または立設部にて前記異なる色度の光を遮蔽することで、該異なる色度の光による色むらを低減することが可能となる。
【手続補正３】
【補正対象書類名】明細書
【補正対象項目名】００１１
【補正方法】変更
【補正の内容】
【００１１】
本発明に係る照明装置は、発光素子と、該発光素子からの光により励起されて励起光を発する蛍光体とを有する光源と、前記光源を実装する実装部と該実装部に対して立設する立設部とを一部に有し、前記光源を内部に装着する枠体とを備える照明装置であって、前記光源は、前記実装部または前記立設部に対して傾斜させて取り付けられ、前記光源により照明される照明領域において、前記発光素子からの光と前記励起光により視認される色度と異なる色度の光が照明される照明領域が形成されるのを低減させるべく、前記異なる色度の光を遮蔽する、前記実装部または前記立設部から構成された遮蔽部を備えることを特徴とする。
【手続補正４】
【補正対象書類名】明細書
【補正対象項目名】００１２
【補正方法】変更
【補正の内容】
【００１２】
本発明の照明装置によれば、発光素子からの光と励起光により視認される色度と異なる色度の光が遮蔽部によって遮蔽されるため、前記異なる色度の光が照明される照明領域が形成されるのを低減することができ、色むらは低減する。枠体の一部にて遮蔽部を構成するため、容易に遮蔽部を設けることが可能である。光源を実装部または立設部に対して傾斜させて取り付けて、実装部または立設部にて前記異なる色度の光を遮蔽することで、該異なる色度の光による色むらを低減することが可能となる。
【手続補正５】
【補正対象書類名】明細書
【補正対象項目名】００１３
【補正方法】変更
【補正の内容】
【００１３】
本発明に係る照明装置は、発光素子と、該発光素子からの光により励起されて励起光を発する蛍光体とを有する光源と、前記光源を実装する実装部と該実装部に対して立設する立設部とを一部に有し、前記光源を内部に装着する枠体とを備える照明装置であって、
前記光源は、前記実装部または前記立設部に対して傾斜させて取り付けられ、前記光源により照明される照明領域において、前記発光素子からの光と前記励起光により視認される色度と異なる色度の光が照明されることによる色むらを低減させるべく、前記異なる色度の光を遮蔽する、前記実装部または前記立設部から構成された遮蔽部を備えることを特徴とする。
【手続補正６】
【補正対象書類名】明細書
【補正対象項目名】００１４
【補正方法】変更
【補正の内容】
【００１４】
本発明の照明装置によれば、発光素子からの光と励起光により視認される色度と異なる色度の光が遮蔽部によって遮蔽されるため、前記異なる色度の光が照明されることによる色むらは低減する。枠体の一部にて遮蔽部を構成するため、容易に遮蔽部を設けることが可能である。光源を実装部または立設部に対して傾斜させて取り付けて、実装部または立設部にて前記異なる色度の光を遮蔽することで、該異なる色度の光による色むらを低減することが可能となる。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００２０
【補正方法】変更
【補正の内容】
【００２０】
本発明の照明装置によれば、光源の光が照射される側に前記光源の光を拡散する拡散部を有し、該拡散部から前記光源を遠ざけるべく設けた凹部を前記実装部及び／または前記立設部に形成してあることで、前記凹部に前記光源を位置させて光源から拡散部までの距離を遠ざけることが可能となり、拡散部全域にわたって均一な面発光が得られる。
本発明に係る照明装置は、前記光源の光が照射される側に、前記光源の光を拡散する拡散部を有し、前記拡散部は、前記光源に対して曲面を有することを特徴とする。
本発明に係る照明装置は、前記実装部は、前記光源が取り付けられる傾斜部と、該傾斜部に連設された前記枠体の底面とを含んで構成されることを特徴とする。
【手続補正１２】
【補正対象書類名】特許請求の範囲
【補正対象項目名】全文
【補正方法】変更
【補正の内容】
【特許請求の範囲】
【請求項１】
発光素子と、該発光素子からの光により励起されて励起光を発する蛍光体とを有する光源と、
前記光源を実装する実装部と該実装部に対して立設する立設部とを一部に有し、前記光源を内部に装着する枠体とを備える照明装置であって、
前記光源は、前記実装部または前記立設部に対して傾斜させて取り付けられ、
前記光源から照射される光のうち、前記発光素子からの光と前記励起光により視認される色度と異なる色度の光が照射される領域に、前記異なる色度の光を遮蔽する、前記実装部または前記立設部から構成された遮蔽部を備えることを特徴とする照明装置。
【請求項２】
発光素子と、該発光素子からの光により励起されて励起光を発する蛍光体とを有する光源と、
前記光源を実装する実装部と該実装部に対して立設する立設部とを一部に有し、前記光源を内部に装着する枠体とを備える照明装置であって、
前記光源は、前記実装部または前記立設部に対して傾斜させて取り付けられ、
前記光源により照明される照明領域において、前記発光素子からの光と前記励起光により視認される色度と異なる色度の光が照明される照明領域が形成されるのを低減させるべく、前記異なる色度の光を遮蔽する、前記実装部または前記立設部から構成された遮蔽部を備えることを特徴とする照明装置。
【請求項３】
発光素子と、該発光素子からの光により励起されて励起光を発する蛍光体とを有する光源と、
前記光源を実装する実装部と該実装部に対して立設する立設部とを一部に有し、前記光源を内部に装着する枠体とを備える照明装置であって、
前記光源は、前記実装部または前記立設部に対して傾斜させて取り付けられ、
前記光源により照明される照明領域において、前記発光素子からの光と前記励起光により視認される色度と異なる色度の光が照明されることによる色むらを低減させるべく、前記異なる色度の光を遮蔽する、前記実装部または前記立設部から構成された遮蔽部を備えることを特徴とする照明装置。
【請求項４】
前記光源の光が照射される側に、前記光源の光を拡散する拡散部を有し、
前記枠体は、前記光源を前記拡散部から遠ざけるべく、前記実装部及び／または前記立設部に凹部を形成してあることを特徴とする請求項１から３の何れか一つに記載の照明装置。
【請求項５】
前記光源の光が照射される側に、前記光源の光を拡散する拡散部を有し、
前記拡散部は、前記光源に対して曲面を有することを特徴とする請求項１から４の何れか一つに記載の照明装置。
【請求項６】
前記実装部は、
前記光源が取り付けられる傾斜部と、該傾斜部に連設された前記枠体の底面とを含んで構成されることを特徴とする請求項１から５の何れか一つに記載の照明装置。